(57)【要約】【課題】有機発光表示装置の光漏れ現象を防止し、かつ光取り出し効率を向上させることができる有機発光表示装置を提供すること。【解決手段】本発明の有機発光表示装置は、互いに異なる色を発光する複数のサブピクセルに区分される基板を含み、複数のサブピクセルのうちの少なくとも１個のサブピクセルの発光領域と対応する領域に配置される光漏れ防止層を含む。また、少なくとも１個のサブピクセルにおいて、基板上に配置され、複数の凹部または複数の凸部から構成される第１のマイクロレンズおよび前記マイクロレンズ上に配置される有機発光素子を含む。【選択図】図２
2018037391.tif 000002
【特許請求の範囲】
【請求項１】
互いに異なる色を発光する複数のサブピクセルに区分される基板と、
前記複数のサブピクセルのうちの少なくとも１個のサブピクセルの発光領域と対応する領域に配置される光漏れ防止層と、
少なくとも１個のサブピクセルにおいて、前記基板上に配置され、複数の凹部または複数の凸部から構成されるマイクロレンズを含むオーバーコート層と、
前記オーバーコート層上に配置される有機発光素子と、
を含む、有機発光表示装置。
【請求項２】
前記複数のサブピクセルは赤色、緑色、青色および白色のサブピクセルに区分され、
それぞれのサブピクセルに第１ないし第４の光漏れ防止層が配置され、少なくとも１つの光漏れ防止層の厚みは、他の光漏れ防止層の厚みよりも薄いことを特徴とする、請求項１に記載の有機発光表示装置。
【請求項３】
前記第１ないし第４の光漏れ防止層のうちの少なくとも２つの光漏れ防止層は、同じ色の光を透過させる光漏れ防止層を含むことを特徴とする、請求項２に記載の有機発光表示装置。
【請求項４】
前記第１ないし第４の光漏れ防止層のうちの少なくとも１つの光漏れ防止層は、残りの他の光漏れ防止層が透過させる光の色の補色の光を透過させる光漏れ防止層を含むことを特徴とする、請求項２に記載の有機発光表示装置。
【請求項５】
前記マイクロレンズは、第１のマイクロレンズおよび該第１のマイクロレンズと同一または異なる第２のマイクロレンズを含み、
前記第２のマイクロレンズは、前記第１のマイクロレンズが配置されたサブピクセルを除いたサブピクセルのうちの少なくとも１個のサブピクセルに配置されることを特徴とする、請求項２に記載の有機発光表示装置。
【請求項６】
前記第２のマイクロレンズの凸部の径、高さ、半値全幅、傾き、アスペクト比または凸部と凸部との間の離隔距離は、
前記第１のマイクロレンズの凸部の径、高さ、半値全幅、傾き、アスペクト比または凸部と凸部間の離隔距離のうちの少なくとも一つの大きさが異なることを特徴とする、請求項５に記載の有機発光表示装置。
【請求項７】
前記第２のマイクロレンズの凹部の径、高さ、半値全幅、傾き、アスペクト比または凹部と凹部間の離隔距離は、
前記第１のマイクロレンズの凹部の径、高さ、半値全幅、傾き、アスペクト比または凹部と凹部間の離隔距離のうちの少なくとも一つの大きさが異なることを特徴とする、請求項５に記載の有機発光表示装置。
【請求項８】
前記第１のマイクロレンズおよび前記第２のマイクロレンズがそれぞれ配置されたサブピクセルを除いたサブピクセルのうちの少なくとも１個のサブピクセルに配置される第３のマイクロレンズをさらに含み、
前記第３のマイクロレンズは、前記第１のマイクロレンズおよび前記第２のマイクロレンズのうちのいずれかのマイクロレンズと同一または該第１のマイクロレンズおよび該第２のマイクロレンズと異なることを特徴とする、請求項５に記載の有機発光表示装置。
【請求項９】
前記第３のマイクロレンズの凸部の径、高さ、半値全幅、傾き、アスペクト比または凸部と凸部間の離隔距離は、
前記第１のマイクロレンズおよび前記第２のマイクロレンズの凸部の径、高さ、半値全幅、傾き、アスペクト比または凸部と凸部間の離隔距離のうちの少なくとも一つの大きさが異なることを特徴とする、請求項８に記載の有機発光表示装置。
【請求項１０】
前記第３のマイクロレンズの凹部の径、高さ、半値全幅、傾き、アスペクト比または凹部と凹部間の離隔距離は、
前記第１のマイクロレンズおよび前記第２のマイクロレンズの凹部の径、高さ、半値全幅、傾き、アスペクト比または凹部と凹部間の離隔距離のうちの少なくとも一つの大きさが異なることを特徴とする、請求項８に記載の有機発光表示装置。
【請求項１１】
前記複数のサブピクセルは赤色、緑色、青色および白色のサブピクセルに区分され、
少なくとも１つのサブピクセルは光漏れ防止層が配置されていないことを特徴とする、請求項１に記載のサブピクセルの有機発光表示装置。
【請求項１２】
前記光漏れ防止層が配置されていないサブピクセルは、マイクロレンズが配置されていないサブピクセルであることを特徴とする、請求項１１に記載の有機発光表示装置。
【請求項１３】
前記光漏れ防止層と前記第１マイクロレンズが配置されていないサブピクセルは、白色のサブピクセルであることを特徴とする、請求項１２に記載の有機発光表示装置。
【請求項１４】
前記複数のサブピクセルのうちの少なくとも１つのサブピクセルは、マイクロレンズが配置されていないサブピクセルであることを特徴とする、請求項１に記載の有機発光表示装置。
【請求項１５】
前記複数のサブピクセルのうちの少なくとも１つのサブピクセルは、マイクロレンズが配置されていないサブピクセルであることを特徴とする、請求項１に記載の有機発光表示装置。
【請求項１６】
前記有機発光表示装置は、
前記基板上に配置される絶縁層をさらに含み、
前記絶縁層上に配置され、複数のサブピクセルのうちの少なくとも１個のサブピクセルに配置される少なくとも１層の前記第１の金属層および前記第１の金属層上に配置された少なくとも１層の第２の金属層を含むことを特徴とする、請求項１に記載の有機発光表示装置。
【請求項１７】
前記有機発光表示装置は、
前記少なくとも１個のサブピクセルから基板上に配置される少なくとも１層の第３の金属層、
前記第３の金属層上に配置された少なくとも１層の第４の金属層、および、
前記第４の金属層上に配置される絶縁層、
を含むことを特徴とする、請求項１６の有機発光表示装置。
【請求項１８】
前記第１の金属層または前記第４の金属層の誘電率は、負の値であり、
前記絶縁層の誘電率の絶対値よりも前記第１の金属層または前記第４の金属層の誘電率の絶対値が大きいことを特徴とする、請求項１６または１７のいずれか一項に記載の有機発光表示装置。
【請求項１９】
前記第２の金属層または前記第３の金属層は、銀（Ａｇ）、アルミニウム（Ａl）または金（Ａｕ）のうちの少なくともいずれか一種からなり、
前記第１の金属層または前記第４の金属層は、ベリリウム（Ｂｅ）、カルシウム（Ｃａ）、バリウム（Ｂａ）、ストロンチウム（Ｓｒ）、ラジウム（Ｒａ）、リチウム（Ｌｉ）、ナトリウム（Ｎａ）またはマグネシウム（Ｍｇ）のうち少なくともいずれか１種からなることを特徴とする、請求項１６または１７のうちのいずれか一項に記載の有機発光表示装置。
【請求項２０】
前記少なくとも１個のサブピクセルを除いた残りのサブピクセルにおいて、
基板上に配置される絶縁層および前記絶縁層上に配置される光漏れ防止層を含み、
前記少なくとも１個のサブピクセルに配置される絶縁層と、前記残りのサブピクセルに配置される絶縁層は、一体的であることを特徴とする、請求項１７に記載の有機発光表示装置。
【発明の詳細な説明】
【技術分野】
【０００１】
本発明は、有機発光表示装置に関するもので、さらに具体的には、光漏れ現象を防止することができる有機発光表示装置に関する。
【背景技術】
【０００２】
有機発光表示装置は、自発光型表示装置であって、液晶表示装置とは異なり、別途の光源を必要としないため、軽量薄型に製造可能である。また、有機発光表示装置は、低電圧駆動により消費電力の側面で有利であるだけでなく、色の具現、応答速度、視野角、コントラスト比（ｃｏｎｔｒａｓｔ ｒａｔｉｏ；ＣＲ）にも優れ、次世代ディスプレイとして研究されている。
【０００３】
有機発光表示装置の有機発光層から発光された光は、有機発光表示装置のいくつかの構成要素を通過して有機発光表示装置の外部に出てくる。しかし、有機発光層から発光された光のうち、有機発光表示装置の外部に出てこれず、有機発光表示装置の内部に閉じ込められる光が存在するため、有機発光表示装置の光取り出し効率が問題となる。
【０００４】
特に、有機発光表示装置のうち、下部発光構造の有機発光表示装置において、アノード電極による全反射または光吸収の発生によって前記有機発光表示装置の内部に閉じ込められる光は、有機発光層から発光された光のうちの約５０％を占める。また、基板による全反射または光吸収の発生によって有機発光表示装置の内部に閉じ込められる光は、有機発光層から発光された光のうちの約３０％程度を占める。このように、有機発光層から発光された光のうち、約８０％の光が有機発光表示装置の内部に閉じ込められ、約２０％の光のみが外部に取り出されるため、光効率が非常に低い。
【０００５】
このような有機発光表示装置の光取り出し効率を向上させるために、有機発光表示装置の基板の外側にマイクロレンズアレイ（ｍｉｃｒｏ ｌｅｎｓ ａｒｒａｙ；ＭＬＡ）を取り付けたり、有機発光表示装置のオーバーコート層にマイクロレンズを形成したりする方法が提案されている。
【０００６】
しかし、有機発光表示装置の基板の外側にマイクロレンズアレイを導入したり、オーバーコート層にマイクロレンズを形成したりする場合、有機発光層から発生した光は、基板を通じて偏光板に到達し、偏光板から再び反射されて基板方向に経路が切り換えられる。ここで、基板方向に進む光の一部は、他の色を発光する隣接画素（ｐｉｘｅｌ）のマイクロレンズに到達して光漏れ現象を引き起こす問題がある。
【発明の概要】
【発明が解決しようとする課題】
【０００７】
本発明は、前記のような問題点を解決するためのもので、有機発光表示装置の光漏れ現象を防止し、かつ光取り出し効率を向上させることができる有機発光表示装置を提供しようとするものである。
【課題を解決するための手段】
【０００８】
前記のような従来技術の課題を解決すべく本発明の有機発光表示装置は、互いに異なる色を発光する複数のサブピクセルに区分される基板、前記複数のサブピクセルのうちの少なくとも１個のサブピクセルの発光領域と対応する領域に配置される光漏れ防止層、少なくとも１個のサブピクセルにおいて、前記基板上に配置され、複数の凹部または複数の凸部から構成される第１のマイクロレンズおよび該マイクロレンズ上に配置される有機発光素子を含む。
【０００９】
前記複数のサブピクセルは、赤色、緑色、青色および白色のサブピクセルに区分され、それぞれのサブピクセルに第１ないし第４の光漏れ防止層が配置される。前記第１ないし第４の光漏れ防止層のうちの少なくとも２つの光漏れ防止層は、同じ色の光を透過させることができる。また、前記第１ないし第４の光漏れ防止層のうちの少なくとも１つの光漏れ防止層は、残りの他の光漏れ防止層を透過する光の色の補色光を透過させることができる。
【００１０】
また、本発明の有機発光表示装置は、第１のマイクロレンズが配置されたサブピクセルを除いたサブピクセルのうちの少なくとも１個のサブピクセルに配置され、前記第１のマイクロレンズと同一または異なる第２のマイクロレンズを含むことができる。また、前記第１および第２のマイクロレンズと同一または異なる第３のマイクロレンズをさらに含むことができる。
【００１１】
また、本発明の有機発光表示装置は、少なくとも１個のサブピクセルに光漏れ防止層未配置領域を備えることができる。また、前記複数のサブピクセルのうちの少なくとも１個のサブピクセルは、第１のマイクロレンズ未配置領域を備えることができる。
【発明の効果】
【００１２】
本発明に係る有機発光表示装置は、複数のサブピクセルのうちの少なくとも１個のサブピクセルにおいて、発光領域と対応する領域に配置される光漏れ防止層を含むことにより、互いに異なるサブピクセル間で、または互いに異なる画素間で発生する光漏れ現象を抑制し、かつ有機発光素子から発光される光の効率が劣るのを防止することができる効果がある。
【００１３】
また、本発明に係る有機発光表示装置は、複数のサブピクセルから構成される画素において、互いに異なるマイクロレンズを含むサブピクセルを備えたり、マイクロレンズ未配置のサブピクセルを備えたりすることにより、サブピクセル毎に光取り出し効率を調節することができ、光漏れ現象を防止することができる。
【図面の簡単な説明】
【００１４】
【図１】実施形態による表示装置を簡略に示す図である。
【図２】本発明の第１の実施形態による有機発光表示装置の平面図である。
【図３】本発明の第１の実施形態による有機発光表示装置のＡ−Ｂに沿って切断した断面図である。
【図４】本発明の第２の実施形態による有機発光表示装置の平面図である。
【図５】本発明の第２の実施形態による有機発光表示装置のＣ−Ｄに沿って切断した断面図である。
【図６】本発明の第３の実施形態による有機発光表示装置の平面図である。
【図７】本発明の第３の実施形態による有機発光表示装置のＥ−Ｆに沿って切断した断面図である。
【図８】本発明の第４の実施形態による有機発光表示装置の平面図である。
【図９】本発明の第４の実施形態による有機発光表示装置のＧ−Ｈに沿って切断した断面図である。
【図１０】本発明の第５の実施形態による有機発光表示装置の平面図である。
【図１１】本発明の第５の実施形態による有機発光表示装置のＩ−Ｊに沿って切断した断面図である。
【図１２】本発明の第６の実施形態による有機発光表示装置の平面図である。
【図１３】本発明の第６の実施形態による有機発光表示装置のＫ−Ｌに沿って切断した断面図である。
【図１４】本発明の第７の実施形態による有機発光表示装置の平面図である。
【図１５】本発明の第７の実施形態による有機発光表示装置のＭ−Ｎに沿って切断した断面図である。
【図１６】もう一つの実施形態による第４のサブピクセルの絶縁層および第４の光漏れ防止層の配置構造を示す図である。
【図１７】図１６による有機発光表示装置の反射率の低減効果を示すグラフである。
【発明を実施するための形態】
【００１５】
以下、本発明の実施形態は、図面を参照して詳細に説明する。次に紹介する実施形態は、当業者に本発明の思想が十分に伝達されるようにするために、例として提供されるものである。したがって、本発明は、以下にて説明する実施形態に限定されず、他の形状に具体化することもできる。また、図面において、装置の大きさや厚さなどは、便宜のために誇張して表現されることもある。明細書全体にわたって同じ参照番号は同じ構成要素を表す。
【００１６】
本発明の利点および特徴、そしてそれらを達成する方法は、添付の図面と共に詳細に後述する実施形態を参照すると明確になる。しかし、本発明は、以下に開示される実施形態に限定されるものではなく、互いに異なる多様な形状に具現されるものであり、ただ本実施形態は、本発明の開示が完全なものとなるようにし、本発明が属する技術分野において、通常の知識を有する者に発明の範疇を完全に知らせるために提供されるものであり、本発明は、請求項のカテゴリによって定義されるだけである。明細書全体にわたって同じ参照符号は、同一の構成要素を指す。図面における層および領域の大きさおよび相対的な大きさは、説明の明瞭性のために誇張されることがある。
【００１７】
素子（ｅｌｅｍｅｎｔ）または層が他の素子または「上(うえ)（ｏｎ）」または「上(じょう)（ｏｎ）」と称されるのは、他の素子または層の真上だけでなく、間に他の層または他の素子を介在した場合のいずれも含む。これに対し、素子が「直に上（ｄｉｒｅｃｔｌｙ ｏｎ）」または「真上」と称されるのは、間に他の素子または層を介在していないことを表す。
【００１８】
空間的に相対的な用語である「下（Ｂｅｌｏｗ、ＢｅｎＥＡｔｈ）」、「下部（ｌｏｗｅｒ）」、「上（ＡＢｏｖｅ）」、「上部（ｕｐｐｅｒ）」などは、図面に示すように、一つの素子または構成要素と他の素子または構成要素との相関関係を容易に記述するために用いられることができる。空間的に相対的な用語は、図面に示されている方向に加え、使用時または動作時、素子の互いに異なる方向を含む用語として理解されるべきである。例えば、図面に示されている素子を逆にした場合、他の素子の「下（Ｂｅｌｏｗ）」または「下（Ｂｅｎｅａｔｈ）」と記述された素子は、他の素子の「上（ＡＢｏｖｅ）」に位置することができる。したがって、例示的な用語である「下」は、下と上の方向のいずれも含むことができる。
【００１９】
また、本発明の構成要素を説明するにあたって、第１、第２、Ａ、Ｂ、（ａ）、（Ｂ）などの用語を用いることができる。これらの用語は、その構成要素を他の構成要素と区別するためのものに過ぎず、その用語によりその構成要素の本質、順番、順序または個数などが限定されない。
【００２０】
図１は、実施形態による表示装置を簡略に示す図である。図１を参照すると、実施形態による表示装置１０００は、垂直方向である第１の方向に多数の第１のラインＶＬ１〜ＶＬｍが形成され、水平方向である第２の方向に多数の第２のラインＨＬ１〜ＨＬｎが形成される表示パネル１１００と、多数の第１のラインＶＬ１〜ＶＬｍに第１の信号を供給する第１の駆動部１２００と、多数の第２のラインＨＬ１〜ＨＬｎに第２の信号を供給する第２の駆動部１３００と、第１の駆動部１２００および第２の駆動部１３００を制御するタイミングコントローラ１４００などを含む。
【００２１】
表示パネル１１００には、前記第１の方向に形成された多数の第１のラインＶＬ１〜ＶＬｍと前記第２の方向に形成された多数の第２のラインＨＬ１〜ＨＬｎの交差によって多数の画素（Ｐ：Ｐｉｘｅｌ）が定義される。
【００２２】
前述した第１の駆動部１２００および第２の駆動部１３００のそれぞれは、画像を表示するための信号を出力する少なくとも一つの駆動集積回路（Ｄｒｉｖｅｒ ＩＣ）を含むことができる。
【００２３】
表示パネル１１００に前記第１の方向に形成された多数の第１のラインＶＬ１〜ＶＬｍは一例として、垂直方向に形成され、垂直方向の画素列にデータ電圧（第１の信号）を伝達するデータ配線であってもよく、第１の駆動部１２００は、データ配線にデータ電圧を供給するデータ駆動部であってもよい。
【００２４】
また、表示パネル１１００に第２の方向に形成された多数の第２のラインＨＬ１〜ＨＬｎは、水平方向に形成され、水平方向の画素列にスキャン信号（第１の信号）を伝達するゲート配線であってもよく、第２の駆動部１３００は、ゲート配線にスキャン信号を供給するゲート駆動部であってもよい。
【００２５】
また、第１の駆動部１２００と第２の駆動１３００と接続するため、表示パネル１１００には、パッド部が構成される。パッド部は、第１の駆動部１２００から多数の第１のラインＶＬ１〜ＶＬｍに第１の信号を供給すると、これを表示パネル１１００へ伝達され、同様に第２の駆動部１３００から多数の第２のラインＨＬ１〜ＨＬｎに第２の信号を供給すると、これを表示パネル１１００へ伝達する。
【００２６】
一方、本発明の画素（ｐｉｘｅｌ）は、一個以上のサブピクセル（ｓｕｂｐｉｘｅｌ）を含む。前記サブピクセルに定義する色として、赤色（Ｒ）、緑色（Ｇ）、青色（Ｂ）と選択的に白色（Ｗ）を含むことができるが、本発明がこれに限定されるものではない。
【００２７】
また、表示パネルの各サブピクセルの発光を制御する薄膜トランジスタに連結された電極を第１の電極とし、表示パネルの前面に配置され、または二個以上の画素を含むように配置される電極を第２の電極とする。前記第１の電極がアノード電極である場合、第２の電極がカソード電極となり、その逆の場合も可能である。以下、第１の電極の一実施形態としてアノード電極を、第２の電極の一実施形態としてカソード電極を中心に説明するが、本発明がこれに限定されるものではない。
【００２８】
また、有機発光表示装置は、有機発光素子の構造に応じて、上部発光（Ｔｏｐ ｅｍｉｓｓｉｏｎ）方式または下部発光（ｂｏｔｔｏｍ ｅｍｉｓｓｉｏｎ）方式などの形態に区分することができる。後述する実施形態では、下部発光方式に対する有機発光表示装置を中心に説明するが、本発明がこれに限定されるものではない。
【００２９】
また、前述したサブピクセルには単一色のカラーフィルタが配置され、または配置されない基準となる。カラーフィルタは、単一の有機発光層の色を特定の波長色に変換させる。また、それぞれのサブピクセルには、有機発光層の光取り出し効率を高めるための散乱層（ｌｉｇｈｔ−ｓｃａｔｔｅｒｉｎｇ ｌａｙｅｒ）が配置されることができる。前述した散乱層は、マイクロレンズアレイ（ｍｉｃｒｏ ｌｅｎｓ ａｒｒａｙ）、ナノパターン（ｎａｎｏ ｐａｔｔｅｒｎ）、拡散パターン（ｄｉｆｆｕｓｅ ｐａｔｔｅｒｎ）、シリカビーズ（ｓｉｌｉｃａ ｂｅａｄ）と命名することができる。
【００３０】
以下、散乱層の実施形態としてマイクロレンズアレイを中心に説明するが、本発明に係る実施形態がこれに局限されるものではなく、光を散乱させる様々な構造が結合されることができる。
【００３１】
次に、図２を参照して、本発明の第１の実施形態による有機発光表示装置の平面図を察しみると、次の通りである。図２は、本発明の第１の実施形態による有機発光表示装置の平面図である。
【００３２】
図２を参照すると、本発明の第１の実施形態による有機発光表示装置において１個の画素（Ｐ）は、複数のサブピクセルを含む。詳しくは、１個の画素（Ｐ）は、４個のサブピクセルを含むことができる。一方、後述する本発明の実施形態では、１個の画素（Ｐ）が、４個のサブピクセルを含む構成を中心に説明するが、本発明の実施形態は、これらに局限されず、１個の画素（Ｐ）が２個ないし４個のサブピクセルを含む構成をいずれも包括することができる。
【００３３】
前記複数のサブピクセルは、それぞれ発光領域ＥＡ１１、ＥＡ２１、ＥＡ３１、ＥＡ４１を含むことができる。例えば、第１のサブピクセルは、第１の発光領域ＥＡ１１を含み、第２のサブピクセルは、第２の発光領域ＥＡ２１を含み、第３のサブピクセルは、第３の発光領域ＥＡ３１を含み、第４のサブピクセルは、第４の発光領域ＥＡ４１を含む。
【００３４】
このとき、第１ないし第４の発光領域ＥＡ１１、ＥＡ２１、ＥＡ３１、ＥＡ４１は、それぞれ赤色（Ｒ）、緑色（Ｇ）、青色（Ｂ）および白色（Ｗ）の光を発光することができるが、本発明の実施形態は、これらに局限されず、それぞれの発光領域ＥＡ１１、ＥＡ２１、ＥＡ３１、ＥＡ４１のうちの少なくとも２つの発光領域が互いに異なる色に発光される構成であれば十分である。
【００３５】
一方、それぞれの発光領域ＥＡ１１、ＥＡ２１、ＥＡ３１、ＥＡ４１は、複数のマイクロレンズが配置される。それぞれの発光領域ＥＡ１１、ＥＡ２１、ＥＡ３１、ＥＡ４１に配置されるマイクロレンズの形状を同じにすることができる。このようなマイクロレンズは、有機発光素子の外部光取り出し効率を向上させることができる。複数のマイクロレンズは、オーバーコート層１２０の第１の凹部２０１および第１の凹部と隣接して配置されるもう一つの第１の凹部２０１との間を連結する第１の連結部２０２からなることができる。
【００３６】
このとき、前記第１ないし第４の発光領域ＥＡ１１、ＥＡ２１、ＥＡ３１、ＥＡ４１には、同じ形状のマイクロレンズが配置されることができる。このような構成を、図３を参照して、詳しく検討すると、次の通りである。
【００３７】
図３は、本発明の第１の実施形態による有機発光表示装置のＡ−Ｂに沿って切断した断面図である。図３を参照すると、本発明の第１の実施形態による有機発光表示装置は、第１ないし第４のサブピクセルＳＰ１、ＳＰ２、ＳＰ３、ＳＰ４を含む。
【００３８】
一方、有機発光素子ＥＬから発光された光のうち、基板１００の方向に進む光の一部は、他の色を発光する隣接サブピクセルまたは隣接して配置される他の画素のマイクロレンズに到達して光漏れ現象を引き起こし得る。具体的には、表示装置がカラーフィルタを備えていないサブピクセルを含む場合、他のサブピクセルから発生した光漏れ成分がカラーフィルタを備えていないサブピクセルのマイクロレンズに到達して視認される現象が大きく発生する。特に、白色（Ｗ）のサブピクセルにカラーフィルタが配置されていない場合、他のサブピクセルで発生した光漏れ成分が白（Ｗ）のサブピクセルのマイクロレンズに到達して視聴者に光漏れ成分が視認される問題がある。
【００３９】
これを解決すべく本発明に係る有機発光表示装置は、第１ないし第４のサブピクセルＳＰ１、ＳＰ２、ＳＰ３、ＳＰ４に区分される基板１００上に配置される光漏れ防止層１１０、１１１、１１２、１１３を含む。詳しくは、前記第１のサブピクセルＳＰ１上には、第１の光漏れ防止層１１０が配置され、第２のサブピクセルＳＰ２には第２の光漏れ防止層１１１が配置され、第３のサブピクセルＳＰ３には第３の光漏れ防止層１１２が配置され、第４のサブピクセルＳＰ４には第４の光漏れ防止層１１３が配置される。
【００４０】
第１ないし第４の光漏れ防止層１１０、１１１、１１２、１１３を含む基板１００上にオーバーコート層１２０が配置される。前記オーバーコート層１２０上には、第１の電極１３０、有機発光層１４０および第２の電極１５０から構成される有機発光素子ＥＬが配置される。
【００４１】
このとき、前記有機発光素子ＥＬは、発光領域ＥＡ１１、ＥＡ２１、ＥＡ３１、ＥＡ４１において外部光取り出し効率を向上させるためのマイクロレンズを備える。前記発光領域ＥＡ１１、ＥＡ２１、ＥＡ３１、ＥＡ４１は、第１の電極１３０の上面の一部を露出するように配置されるバンクパターン１６０によって定義されることができる。
【００４２】
詳しくは、前記オーバーコート層１２０は、発光領域ＥＡ１１、ＥＡ２１、ＥＡ３１、ＥＡ４１において、複数の第１の凹部２０１および第１の凹部２０１と隣接して配置される他の第１の凹部２０１を連結する第１の連結部からなるマイクロレンズを備える。一方、有機発光素子ＥＬが発光領域ＥＡ１１、ＥＡ２１、ＥＡ３１、ＥＡ４１において、マイクロレンズを備える場合、パターンの特性上、前記オーバーコート層１２０に形成された複数の凹部（１6１）によって有機発光素子ＥＬの表面に凹とした屈曲が生じるようになる。
【００４３】
一方、前記第１ないし第４の光漏れ防止層１１０、１１１、１１２、１１３は、第１ないし第４のサブピクセルＳＰ１、ＳＰ２、ＳＰ３、ＳＰ４のそれぞれの発光領域ＥＡ１１、ＥＡ２１、ＥＡ３１、ＥＡ４１と対応する領域に配置することができる。これにより、本発明の第１の実施形態による有機発光表示装置は、互いに異なるサブピクセル間の光漏れ現象を抑制することができる。ここで、第１ないし第４の光漏れ防止層１１０、１１１、１１２、１１３は、特定の波長光を透過させ、残りの波長光を吸収することができる。また、第１ないし第４の光漏れ防止層１１０、１１１、１１２、１１３のうちの少なくともいずれか一つの光漏れ防止層は、残りの光漏れ防止層よりも肉薄になることから、他の光漏れ防止層に比べて光透過率が高めることができる。
【００４４】
第１ないし第４の光漏れ防止層１１０、１１１、１１２、１１３によって光漏れ現象が防止される原理を具体的に説明すると、前記有機発光素子ＥＬの第１の電極１３０と、有機発光層１４０の屈折率は、前記基板１００およびオーバーコート層１２０の屈折率よりも大きくなることができる。例えば、前記基板１００とオーバーコート層１２０の屈折率は、約１．５であり、有機発光素子ＥＬの第１の電極１３０および有機発光層１４０の屈折率は、１．７ないし２．０であってもよい。
【００４５】
このとき、前記有機発光層１４０から発光された光８００の一部は、第２の電極１５０によって反射され、第１の電極１３０方向に光経路が切り換えられ、残りの一部は、前記第１の電極１３０方向に出射される。すなわち、前記有機発光層１４０によって発光された光８００のほとんどは、前記第１の電極１３０の方向に向かう。
【００４６】
ここで、前記有機発光層１４０と、第１の電極１３０の屈折率は、ほぼ同じであるため、前記有機発光層１４０から発光された光８００は、前記有機発光層１４０と第１の電極１３０の界面において光経路が変更されない。一方、前記第１の電極１３０を通過した光は、前記第１の電極１３０とオーバーコート層１２０との屈折率の差により、前記第１の電極１３０とオーバーコート層１２０の界面において、臨界角以上に入射された光は、全反射されることができる。
【００４７】
このとき、前記第１の電極１３０とオーバーコート層１２０の界面において、全反射された光は、第２の電極１５０によって再び反射され、第２の電極１５０によって再び反射された光は、有機発光層１４０と第１の電極１３０を経て、前記オーバーコート層１４０とほぼ同じ屈折率を有する基板１００を通過して前記基板１００の背面に配置される偏光板（図示しない）に到達し、前記偏光板（図示しない）で再び反射され、基板１００方向に経路が切り換えられる。
【００４８】
一方、本発明の第１の実施形態による有機発光表示装置は、前記基板１００上に配置され、それぞれの発光領域と対応する領域に、第１ないし第４の光漏れ防止層１１０、１１１、１１２、１１３が配置されることにより、全反射臨界角よりも大きい角度で進む光が隣接する他のサブピクセルまたは隣接して配置される他の画素のマイクロレンズに到達することを防止する。
【００４９】
詳しくは、有機発光層１４０から発光した光８００は、第１の電極１３０およびオーバーコート層１２０の界面で全反射が起こり、第２の電極１５０によって再び反射され、基板１００方向に経路が切り換えられる。ここで、全反射臨界角よりも大きい角度で進む光は、前記オーバーコート層１２０および基板１００を通過して前記基板１００と偏光板（図示しない）界面で再び反射され、前記基板１００の方向に光経路が切り換えられる。
【００５０】
それから、基板１００の方向に経路が変更された光は、再び基板１００を通過して、基板１００上に配置される第１ないし第４の光漏れ防止層１１０、１１１、１１２、１１３のうちのいずれかに到達する。第１ないし第４の光漏れ防止層１１０、１１１、１１２、１１３のうちのいずれかの光漏れ防止層に到達した光は、到達した光漏れ防止層によって吸収される。このように、他のサブピクセルまたは他の画素から発光された光が光漏れ防止層によって吸収されることにより、複数のマイクロレンズを含む有機発光表示装置の光漏れ現象を抑制することができる効果がある。
【００５１】
一方、本実施形態による第１ないし第４の光漏れ防止層１１０、１１１、１１２、１１３は、特定の波長光を透過させ、残りの波長光を吸収することができる特性を有するため、第１ないし第４の光漏れ防止層１１０、１１１、１１２、１１３は、光漏れ成分のうち、特定の波長光は透過させ、残りの波長光は吸収することができる。例えば、第４のサブピクセルＳＰ４に青色（Ｂ）光を透過させる第４の光漏れ防止層１１３が配置される場合、光漏れ成分が青色（Ｂ）光の波長を有する場合、透過させることができ、青色（Ｂ）光ではない他の波長を有する光の場合、第４の光漏れ防止層１１３によって吸収されることができる。この場合、第４のサブピクセルＳＰ４には、ブルーイッシュ（Ｂｌｕｉｓｈ）な光が発光され得、青色（Ｂ）光の効率の悪い表示装置の場合、これにより、青色（Ｂ）が補償され得る。
【００５２】
また、第１ないし第４の光漏れ防止層１１０、１１１、１１２、１１３のうちの少なくとも２つの光漏れ防止層は、同じ色の光を透過させることができる。例えば、第１の光漏れ防止層１１０、第２の光漏れ防止層１１１および第３の光漏れ防止層１１２は、それぞれ異なる色の光を透過させて、第４の光漏れ防止層１１３は、第１ないし第３の光漏れ防止層１１０、１１１、１１２のうちの１つの光漏れ防止層と同じ色の光を透過させることができる。
【００５３】
さらに説明すると、第１の光漏れ防止層１１０が赤色（Ｒ）光を透過させ、第２の光漏れ防止層１１１が緑色（Ｇ）光を透過させ、第３の光漏れ防止層１１２が青色（Ｂ）光を透過させる場合、第４の光漏れ防止層１１３は、赤色（Ｒ）、緑色（Ｇ）、または青色（Ｂ）の光のいずれかの色の光を透過させることができる。ただし、前記第４の光漏れ防止層１１３は、前記第１ないし第３の光漏れ防止層１１０、１１１、１１２よりも肉薄になることにより、赤色（Ｒ）、緑色（Ｇ）または青色（Ｂ）の光のうちのいずれか１つの色だけでなく、可視光線領域の波長への光を透過させることができる。このとき、第１ないし第３の光漏れ防止層１１０、１１１、１１２の特定の波長への透過率は６０％以上であってもよい。また、前記第４の光漏れ防止層１１３の可視光線領域の波長への光の透過率は６０％以上であってもよい。一方、前記第１ないし第３の光漏れ防止層１１０、１１１、１１２は、透過させる色の光を除き、残りの色の光は、吸収することができる。
【００５４】
ここで、前記第１の光漏れ防止層１１０と第４の光漏れ防止層１１３が同じ色の光を透過させ、第２のサブピクセルＳＰ１または第３のサブピクセルで発生した光漏れ成分が第４のサブピクセルＳＰ４に進む場合、前記第４の光漏れ防止層１１３によって光漏れ成分が吸収されることにより、互いに異なるサブピクセル間、または互いに異なる画素間の光漏れ現象を防止することができる。また、第４の光漏れ防止層１１３の厚みが、第１ないし第３の光漏れ防止層１１０、１１１、１１２の厚みよりも薄く成されることにより、第４のサブピクセルＳＰ４は、可視光線の波長領域の光の透過率が比較的高いことがある。すなわち、第４のサブピクセルＳＰ４は、肉薄の第４の光漏れ防止層１１３を備えることにより、光漏れ防止および他のサブピクセルに比べて高い光透過率を同時に確保することができる。
【００５５】
また、第２のサブピクセルＳＰ２または第３のサブピクセルＳＰ３で発生した緑色（Ｇ）または青色（Ｂ）の光漏れ成分が第４のサブピクセルＳＰ４に進む場合、前記第４の光漏れ防止層１１３が緑色（Ｇ）または青色（Ｂ）の光を吸収するため、光漏れ現象を防止することができる。このとき、前記第４の光漏れ防止層１１３は、赤色（Ｒ）光のみを透過させることにより、第２のサブピクセルＳＰ２または第３のサブピクセルＳＰ３で発生した光を吸収することができる。
【００５６】
また、前記第１の光漏れ防止層１１０は、第２のサブピクセルＳＰ２および第３のサブピクセルＳＰ３で発生した緑色（Ｇ）、青色（Ｂ）の光漏れ成分を吸収し、第２の光漏れ防止層１１１は、第１のサブピクセルＳＰ１および第３のサブピクセルＳＰ３で発生した赤色（Ｒ）、青色（Ｂ）の光漏れ成分を吸収し、第３の光漏れ防止層１１２は、第１および第２のサブピクセルで発生した赤色（Ｒ）、緑色（Ｇ）の光漏れ成分を吸収することができる。
【００５７】
上述したように、第４の光漏れ防止層１１３が第１の光漏れ防止層１１０と同じ色の光を透過させる構成を例示したが、本発明の第１の実施形態による有機発光表示装置は、これに局限されず、第４の光漏れ防止層１１３は、第２または第３の光漏れ防止層（１１１、１１２）と同じ色の光を透過させることもできる。
【００５８】
このように、他のサブピクセルまたは他の画素から発光された光が光漏れ防止層によって吸収されることにより、複数のマイクロレンズを含む有機発光表示装置の光漏れ現象を抑制することができる効果がある。
【００５９】
また、前記第１ないし第４の光漏れ防止層１１０、１１１、１１２、１１３は、これに局限されず、前記第１ないし第４の光漏れ防止層１１０、１１１、１１２、１１３のうちの少なくとも１つの光漏れ防止層は、残りの他の光漏れ防止層が透過させる光の色の補色の光を透過させることができる。
【００６０】
例えば、第１の光漏れ防止層１１０、第２の光漏れ防止層１１１および第３の光漏れ防止層１１２は、それぞれ異なる色の光を透過させて、第４の光漏れ防止層１１３は、第１ないし第３の光漏れ防止層１１０、１１１、１１２のうちの１つの光漏れ防止層の補色の色の光を透過させることができる。
【００６１】
詳しくは、前記第４の光漏れ防止層１１３は、緑色（Ｇ）の補色の色に対応する波長光を透過させることができる。つまり、第４の光漏れ防止層１１３は、１９３１ ＣＩＥ−ｘｙ素色系で（０．３５、０．１）ないし（０．５５、３）に該当する色の波長光を透過させることができる。
【００６２】
これにより、前記第４の光漏れ防止層１１３は、第１ないし第３のサブピクセルＳＰ１、ＳＰ２、ＳＰ３から発生した赤色（Ｒ）、緑色（Ｇ）、青色（Ｂ）の光漏れ成分を吸収することにより、互いに異なるサブピクセル間、または互いに異なる画素間の光漏れ現象を抑制することができる。特に、前記第４の光漏れ防止層１１３が、１９３１ ＣＩＥ−ｘｙ素色系で（０．３５、０．１）ないし（０．５５、３）に該当する色の波長光を透過させることにより、１９３１ ＣＩＥ−ｘｙ素色系で（０．３５、０．１）ないし（０．５５、３）に該当する色を除いた残りの色の光を吸収することにより、光漏れを最小化することができる。
【００６３】
これに加え、前記第４の光漏れ防止層１１３が、１９３１ ＣＩＥ−ｘｙ素色系で（０．３５、０．１）ないし（０．５５、３）に該当する色の波長光を透過させることにより、第４のサブピクセルＳＰ４に配置される有機発光素子ＥＬから発光される光の損失を抑制することができる。特に、効率の低い青色（Ｂ）光および赤色（Ｇ）光の吸収を最小化することにより、第４の光漏れ防止層１１３により、第４のサブピクセルＳＰ１において、有機発光素子の光効率が劣ることを防ぐことができる。
【００６４】
上述したように、本発明の第１の実施形態による有機発光表示装置の第４の光漏れ防止層１１３が緑色（Ｇ）の補色の色に対応する波長光を透過させる構成を例示したが、本発明の第１の実施形態による有機発光表示装置の第４の光漏れ防止層１１３は、これに局限されず、赤色（Ｒ）の補色または青色（Ｂ）の補色の色に対応する波長光を透過させることもできる。
【００６５】
このように、本発明の第１の実施形態による有機発光表示装置は、第１ないし第４のサブピクセルＳＰ１、ＳＰ２、ＳＰ３、ＳＰ４において、それぞれの発光領域ＥＡ１１、ＥＡ２１、ＥＡ３１、ＥＡ４１と対応する領域に、第１ないし第４の光漏れ防止層１１０、１１１、１１２、１１３が配置されることにより、互いに異なるサブピクセル間、または互いに異なる画素間で発生する光漏れ現象を抑制することができる効果がある。
【００６６】
また、本発明の第１の実施形態による有機発光表示装置は、第４の光漏れ防止層１１３が、１９３１ ＣＩＥ−ｘｙ素色系で（０．３５、０．１）ないし（０．５５、３）に該当する色の波長光を透過させることにより、互いに異なるサブピクセル間、または互いに異なる画素間から発生する光漏れ現象を抑制し、かつ有機発光素子から発光される光の効率が劣るのを防止することができる効果がある。
【００６７】
次に、図４および図５を参照して、本発明の第２の実施形態による有機発光表示装置を検討すると、次の通りである。図４は、本発明の第２の実施形態による有機発光表示装置の平面図である。
【００６８】
本発明の第２の実施形態による有機発光表示装置は、前述した実施形態と同じ構成要素を含むことができる。前述した実施形態と重複する説明は省略することができる。また、同一の構成とは同一の符号を有する。
【００６９】
図４を参照すると、本発明の第２の実施形態による有機発光表示装置は、第１の実施形態による有機発光表示装置と比較したとき、少なくとも１つの発光領域に配置されるマイクロレンズの形状が異なることに差がある。
【００７０】
詳しくは、第１ないし第４のサブピクセルは、それぞれ、第１の発光領域ＥＡ１１、第２の発光領域ＥＡ２１、第３の発光領域ＥＡ３２および第４の発光領域ＥＡ４１を含み、前記第１ないし第４の発光領域（ＥＡ１１、ＥＡ２１、ＥＡ３２、ＥＡ４１）のうちの少なくとも１つの発光領域に配置されるマイクロレンズの形状が異なるように形成されることができる。
【００７１】
図４において、第１の発光領域ＥＡ１１、第２の発光領域ＥＡ２１および第４の発光領域ＥＡ４１には、第１のマイクロレンズが配置され、第３の発光領域ＥＡ３２には、第２のマイクロレンズが配置される。このとき、前記第１のマイクロレンズと第２のマイクロレンズは、互いに異なることができる。
【００７２】
詳しくは、前記第１のマイクロレンズは、第１の凹部２０１および前記第１の凹部２０１と隣接して配置されるもう一つの第１の凹部２０１との間を連結する第１の連結部から構成される。また、前記第２のマイクロレンズは、第２の凹部３０１および前記第２の凹部３０１と隣接して配置されるもう一つの第２の凹部３０１との間を連結する第２の連結部から構成される。
【００７３】
このとき、前記第１の凹部２０１と第２の凹部３０１の直径（Ｄ（Ｄｉａｍｅｔｅｒ））、高さ（Ｈ（Ｈｅｉｇｈｔ)）、半値全幅（Ｆ（Ｆｕｌｌ Ｗｉｄｔｈ Ｈａｌｆ Ｍａｘ））、凹部と凹部との間の離隔距離（Ｇ（Ｇａｐ)）、傾き（Ｓ(Ｓｌｏｐｅ））またはアスペクト比（Ａ/Ｒ（Ａｓｐｅｃｔ Ｒａｔｉｏ））のうちの少なくともいずれかが異なることがある。一方、前記半値全幅（Ｆ）は、高さの半分の位置で二つの凹部間の長さを意味する。また、前記アスペクト比（Ａ／Ｒ）は、凹部の高さ（Ｈ）を凹部の半径（Ｄ／２）で除した値を意味する。
【００７４】
図４および図５では、前記第２のマイクロレンズの第２の凹部３０１の直径Ｄ２が、前記第１のマイクロレンズの第１の凹部２０１の直径Ｄ１よりも小さくなる構成を開示しているが、本発明に係る第２の実施形態は、これに局限されず、前記第１の凹部２０１と第２の凹部３０１の形状が異なる構成であれば十分である。
【００７５】
このような構成を図５を参照して、詳しく検討すると、次の通りである。図５は、本発明の第２の実施形態による有機発光表示装置のＣ−Ｄに沿って切断した断面図である。図５を参照すると、第１の発光領域ＥＡ１１、第２の発光領域ＥＡ２１および第４の発光領域ＥＡ４１には、同じ形状を有する第１のマイクロレンズが配置される。また、第３の発光領域ＥＡ３２には、前記第１のマイクロレンズと異なる第２のマイクロレンズが配置される。
【００７６】
このとき、前記第２のマイクロレンズの第２の凹部３０１の直径Ｄ２は、第１のマイクロレンズの第１の凹部２０１の直径Ｄ１よりも小さくなることができる。一方、外部光取り出し効率を向上させるためにオーバーコート層１２０に挿入されたマイクロレンズの凹部の形状による光経路の変化が光取り出し効率の改善への主な要因であるため、マイクロレンズの凹部の径（Ｄ）に応じて光効率が変わり得る。
【００７７】
詳しくは、前記第３の発光領域ＥＡ３２に配置される第２のマイクロレンズの第２の凹部３０１の直径Ｄ２が第１の発光領域ＥＡ１１、第２の発光領域ＥＡ２１および第４の発光領域ＥＡ４１に配置される第１のマイクロレンズの第１の凹部２０１の直径Ｄ２より小さく成されることにより、第３の発光領域ＥＡ３２の有機発光素子ＥＬから発光された光が第３のマイクロレンズ構造に当たる回数が増加され得る。したがって、効率の低い有機発光素子ＥＬが配置されたサブピクセルにおいて光取り出し効率をさらに向上させることができる効果がある。
【００７８】
また、第１ないし第４のサブピクセルＳＰ１、ＳＰ２、ＳＰ３、ＳＰ４にそれぞれ第１ないし第４の光漏れ防止層１１０、１１１、１１２、１１３が配置されることにより、互いに異なるサブピクセル、または互いに異なる画素間の光漏れ現象を防止することができる効果がある。
【００７９】
次に、図６および図７を参照して、本発明の第３の実施形態による有機発光表示装置を検討すると、次の通りである。図６は、本発明の第３の実施形態による有機発光表示装置の平面図である。図７は、本発明の第３の実施形態による有機発光表示装置のＥ−Ｆに沿って切断した断面図である。
【００８０】
本発明の第３の実施形態による有機発光表示装置は、前で説明した実施形態と同一の構成要素を含むことができる。前述の実施形態と重複する説明は省略することができる。また、同一の構成は同一の符号を有する。
【００８１】
図６および図７を参照すると、本発明の第３の実施形態による有機発光表示装置は、１個の画素（Ｐ）に含まれる４つの発光領域ＥＡ１１、ＥＡ２１、ＥＡ３３、ＥＡ４２のうちの少なくとも１つの発光領域は、光漏れ防止層未配置領域を備えることができる。また、４つの発光領域ＥＡ１１、ＥＡ２１、ＥＡ３３、ＥＡ４２のうちの少なくとも１つの発光領域は、マイクロ未配置領域を含むことができる。
【００８２】
例えば、第１の発光領域ＥＡ１１および第２の発光領域ＥＡ２１は、光漏れ防止層を含み、第３の発光領域ＥＡ３３および第４の発光領域ＥＡ４２は、光漏れ防止層を含まなくてもよい。また、第１の発光領域ＥＡ１１および第２の発光領域ＥＡ２１は、マイクロレンズを含み、第３の発光領域ＥＡ３３および第４の発光領域ＥＡ４２は、マイクロレンズを含まなくてもよい。すなわち、前記光漏れ防止層未配置領域を含む発光領域は、マイクロレンズもやはり含まなくてもよい。
【００８３】
また、本発明の第３の実施形態による有機発光表示装置は、これに局限されず、光漏れ防止層を含む発光領域がマイクロレンズを含まなくてもよい。
【００８４】
詳しくは、第１の発光領域ＥＡ１１および第２の発光領域ＥＡ２１は、それぞれ、第１の光漏れ防止層１１０および第２の光漏れ防止層１１１を備える。これに対し、第３の発光領域ＥＡ３３および第４の発光領域ＥＡ４２は、光漏れ防止層を備えていない。
【００８５】
第１の発光領域ＥＡ１１および第２の発光領域ＥＡ２１において、オーバーコート層２２０は同じ形状のマイクロレンズを備える。また、第３の発光領域ＥＡ３３および第４の発光領域ＥＡ４２において、オーバーコート層２２０はマイクロレンズを具備しなくてもよい。
【００８６】
すなわち、前記第３の発光領域ＥＡ３３および第４の発光領域ＥＡ４２でオーバーコート層２２０は、平坦になり得る。これにより、第３の発光領域ＥＡ３３および第４の発光領域ＥＡ４２上に配置される第１の電極２３０、有機発光層２４０および第２の電極２５０もやはり平坦に形成され得る。
【００８７】
ここで、前記第４の発光領域ＥＡ４２には、光漏れ防止層およびマイクロレンズが配置されない。このように、光漏れに最も脆弱な第４のサブピクセルＳＰ４において、マイクロレンズを備えないことにより、異なる色を発光するサブピクセルで発生した光漏れ成分が、前記第４のサブピクセルＳＰ４に配置されるマイクロレンズによって取り出され視認される現象を防止することができる。
【００８８】
上述したように、第４のサブピクセルＳＰ４にマイクロレンズが配置されず、光漏れ現象を防止することができるため、第４のサブピクセルＳＰ４には、光漏れ防止層の構成を省略することができる。
【００８９】
また、図６および図７は、第３の発光領域ＥＡ３３において光漏れ防止層およびマイクロレンズが配置されない構成を開示しているが、本発明の第３の実施形態による有機発光表示装置は、これに局限さされず、第４のサブピクセルＳＰ４だけでなく、第１ないし第３のサブピクセルＳＰ１、ＳＰ２、ＳＰ３のうちの少なくともいずれか一つのサブピクセルに、マイクロレンズおよび光漏れ防止層を配置しないこともできる。
【００９０】
これにより、第４のサブピクセルＳＰ４だけでなく、光漏れに脆弱な他のサブピクセルにおいて、光漏れに作用する光がマイクロレンズによって外部に取り出されることを防止することができる。
【００９１】
次に、図８および図９を参照して、本発明の第４の実施形態による有機発光表示装置を検討すると、次の通りである。図８は、本発明の第４の実施形態による有機発光表示装置の平面図である。図９は、本発明の第４の実施形態による有機発光表示装置のＧ−Ｈに沿って切断した断面図である。
【００９２】
本発明の第４の実施形態による有機発光表示装置は、前述した実施形態と同一の構成要素を含むことができる。前述の実施形態と重複する説明は省略することができる。また、同一の構成は同一の符号を有する。
【００９３】
図８および図９を参照すると、本発明の第４の実施形態による有機発光表示装置は、本発明の第３の実施形態による有機発光表示装置と比較したとき、１個の画素（Ｐ）に含まれる複数の発光領域ＥＡ１２、ＥＡ２１、ＥＡ３３、ＥＡ４２のうちの少なくとも２つの発光領域にマイクロレンズが配置される。このとき、少なくとも１つの発光領域に配置されるマイクロレンズの形状が互いに異なる発光領域に配置されるマイクロレンズの形状とは異なることに差がある。
【００９４】
詳しくは、第１ないし第４のサブピクセルは、それぞれ第１の発光領域ＥＡ１１、第２の発光領域ＥＡ２１、第３の発光領域ＥＡ３３および第４の発光領域ＥＡ４２を含み、前記第１ないし第４の発光領域ＥＡ１２、ＥＡ２１、ＥＡ３３、ＥＡ４２のうちの少なくとも２つの発光領域にマイクロレンズが配置され、前記２つの発光領域に配置されるマイクロレンズの形状は、互いに異なることができる。そして、少なくとも１つの発光領域には、光漏れ防止層およびマイクロレンズが配置されないようにすることができる。
【００９５】
例えば、第１の発光領域ＥＡ１２には、第２のマイクロレンズが配置され、第２の発光領域ＥＡ２１には、第１のマイクロレンズが配置され、第３の発光領域ＥＡ３３および第４の発光領域ＥＡ４２には、マイクロレンズが配置されなくてもよい。このとき、前記第１のマイクロレンズと第２のマイクロレンズの形状は異なることができる。
【００９６】
詳しくは、第１の発光領域ＥＡ１２に配置される第２のマイクロレンズの第２の凹部３０１の直径Ｄ２は、第１のマイクロレンズの第１の凹部２０１の直径Ｄ１より大きくなることができる。したがって、前記第２のマイクロレンズを有する第１の発光領域ＥＡ１２は、第１のマイクロレンズを有する第２の発光領域ＥＡ２１より単位面積当たり含まれるマイクロレンズの数が多いことがある。
【００９７】
このように、第２の発光領域ＥＡ２１よりも低い効率の有機発光素子が配置される第１の発光領域ＥＡ１２において、より多くの数のマイクロレンズを備えることにより、有機発光素子３３０、３４０、３５０から発光された光が、マイクロレンズに当たる確率が高くなり、これにより、第１の発光領域ＥＡ１２における発光効率が増し、消費電力を下げることができる効果がある。
【００９８】
次に、図１０および図１１を参照して、本発明の第５の実施形態による有機発光表示装置を検討すると、次の通りである。図１０は、本発明の第５の実施形態による有機発光表示装置の平面図である。図１１は、本発明の第５の実施形態による有機発光表示装置のＩ−Ｊに沿って切断した断面図である。
【００９９】
本発明の第５の実施形態による有機発光表示装置は、前述した実施形態と同一の構成要素を含むことができる。前述の実施形態と重複する説明は省略することができる。また、同一の構成には同一の符号を有する。
【０１００】
図１０および図１１を参照すると、本発明の第５の実施形態による有機発光表示装置は、１個の画素（Ｐ）に含まれる複数の発光領域ＥＡ１２、ＥＡ２１、ＥＡ３４、ＥＡ４２のうちの少なくとも３つの発光領域でオーバーコート層４２０にマイクロレンズが形成される
【０１０１】
このとき、少なくとも１つの発光領域に配置されるマイクロレンズの形状は、残りの発光領域に配置されるマイクロレンズと形状が異なってなされることができる。また、少なくとも１つの発光領域に配置されるマイクロレンズの形状は、残りの発光領域に配置されるマイクロレンズのうちのいずれかひとつの発光領域に配置されるマイクロレンズとその形状が同じようになされることができる。
【０１０２】
また、１個の画素（Ｐ）に含まれる複数の発光領域ＥＡ１２、ＥＡ２１、ＥＡ３４、ＥＡ４２のマイクロレンズが配置された発光領域を除いた残りの発光領域には、マイクロレンズが配置されてなくてもよい。
【０１０３】
例えば、前記第１の発光領域ＥＡ１２、第２の発光領域ＥＡ２１および第３の発光領域ＥＡ３４には、それぞれのマイクロレンズが配置されることができる。また、第４の発光領域ＥＡ４２には、マイクロレンズが配置されないようにすることができる。
【０１０４】
ここで、前記第１の発光領域ＥＡ１２、第２の発光領域ＥＡ２１および第３の発光領域ＥＡ３４には、それぞれ、第２のマイクロレンズ、第１のマイクロレンズおよび第３のマイクロレンズが配置されることができる。このとき、第１ないし第３のマイクロレンズの形状は、それぞれ異なることができる。
【０１０５】
詳しくは、前記第１のマイクロレンズの第１の凹部２０１の直径Ｄ１は、第２のマイクロレンズの第２の凹部３０１の直径Ｄ２よりも大きく、第２のマイクロレンズの第２の凹部３０１の直径Ｄ２は、第３のマイクロレンズの第３の凹部４０１の直径Ｄ３より大きくなることができる。
【０１０６】
したがって、前記第３の発光領域ＥＡ３４の単位面積当たり配置されるマイクロレンズの数が第２の発光領域ＥＡ２１の単位面積当たり配置されるマイクロレンズの数よりも多く、第２の発光領域ＥＡ２１で単位面積当たりに配置されるマイクロレンズの数が第１発光領域ＥＡ１２の単位面積当たりに配置されるマイクロレンズの数よりも多くてもよい。
【０１０７】
これにより、前記第３の発光領域ＥＡ３４の有機発光素子４３０、４４０、４５０から発光された光が、マイクロレンズに当たり得る確率は、第１の発光領域ＥＡ１２および第２の発光領域ＥＡ２１でより高くなり、第１の発光領域ＥＡ１２において有機発光素子４３０、４４０、４５０から発光された光が、マイクロレンズに当たり得る確率は、第２の発光領域ＥＡ２１よりも高くなる。
【０１０８】
すなわち、本発明の第５の実施形態による有機発光表示装置は、各発光領域に配置される有機発光素子の効率に応じて、マイクロレンズの形状が異なることにより、発光領域単位で光の効率を向上させることができる効果がある。
【０１０９】
また、図１０および図１１においては、第１のマイクロレンズ、第２のマイクロレンズおよび第３のマイクロレンズの第１の凹部２０１、第２の凹部３０１および第３の凹部４０１の直径が互いに異なる構成を示したが、本発明はこれに局限されず、直径、高さ、半値全幅、凹部と凹部との間の離隔距離、傾きまたはアスペクト比のうちの少なくともいずれかが異なる構成であれば十分である。
【０１１０】
次に、図１２および図１３を参照して、本発明の第６の実施形態による有機発光表示装置を検討すると、次の通りである。図１２は、本発明の第６の実施形態による有機発光表示装置の平面図である。図１３は、本発明の第６の実施形態による有機発光表示装置のＫ−Ｌに沿って切断した断面図である。
【０１１１】
本発明の第６の実施形態による有機発光表示装置は、前述した実施形態と同一の構成要素を含むことができる。前述の実施形態と重複する説明は省略することができる。また、同一の構成には同一の符号を有する。
【０１１２】
図１２および図１３を参照すると、本発明の第６の実施形態による有機発光表示装置は、１個の画素（Ｐ）に含まれる複数の発光領域ＥＡ１１、ＥＡ２２、ＥＡ３１、ＥＡ４１のうち、第１の発光領域ＥＡ１１、第３の発光領域ＥＡ３１および第４の発光領域ＥＡ４１にそれぞれマイクロレンズが配置され、第２の発光領域ＥＡ２２には、マイクロレンズが配置されなくてもよい。
【０１１３】
このとき、それぞれの発光領域ＥＡ１１、ＥＡ２２、ＥＡ３１、ＥＡ４１と対応する領域において、基板１００上に第１の光漏れ防止層１１０、第２の光漏れ防止層１１１、第３の光漏れ防止層１１２および第４の光漏れ防止層１１３が配置されることができる。
【０１１４】
前記第２の発光領域ＥＡ２２に緑色（Ｇ）を発光する有機発光素子５３０、５４０、５５０が配置される場合、第２の発光領域ＥＡ２２より発光効率が低下する第１の発光領域ＥＡ１１、第３の発光領域ＥＡ３１および第４の発光領域ＥＡ４１に複数のマイクロレンズが配置されることにより、光効率を向上させることができる効果がある。
【０１１５】
次に、図１４および図１５を参照して、本発明の第６の実施形態による有機発光表示装置を検討すると、次の通りである。図１４は、本発明の第７の実施形態による有機発光表示装置の平面図である。図１５は、本発明の第７の実施形態による有機発光表示装置のＭ−Ｎに沿って切断した断面図である。
【０１１６】
本発明の第７の実施形態による有機発光表示装置は、前述した実施形態と同一の構成要素を含むことができる。前述の実施形態と重複する説明は省略することができる。また、同一の構成は同一の符号を有する。
【０１１７】
まず、図１４を参照すると、本発明の第７の実施形態による有機発光表示装置は、１個の画素（Ｐ）に含まれる複数の発光領域ＥＡ１１、ＥＡ２２、ＥＡ３１、ＥＡ４３にそれぞれマイクロレンズが配置される。また、１個の画素（Ｐ）に含まれるサブピクセルには、マイクロレンズを備えるオーバーコート層３２０の下部に光漏れ防止層が配置されることができる。
【０１１８】
一方、１個の画素（Ｐ）にて少なくとも１個のサブピクセルに配置される光漏れ防止層は、残りの他のサブピクセルに配置される光漏れ防止層の材料と他の材料からなることができる。これにより、特定のサブピクセルの反射率を低減させ、光漏れ現象を緩和させることができる。
【０１１９】
このような構成を図１５を参照して、検討すると、次の通りである。図１５を参照すると、本発明の第７の実施形態による有機発光表示装置は、１個の画素に含まれる複数のサブピクセルのうちの少なくとも１個のサブピクセルに配置される第４の光漏れ防止層２１０は、光を反射させる物質からなることができる。また、１個の画素に含まれる複数のサブピクセルのうち、残りのサブピクセルに配置される第１ないし第３の光漏れ防止層１１０、１１１、１１２は、赤色（Ｒ）、緑色（Ｇ）、青色（Ｂ）の光のうちのいずれかの色の光を透過させることができる。
【０１２０】
具体的には、有機発光表示装置の基板１００上に絶縁層２００が配置される。また、絶縁層２００上には、各サブピクセルＳＰ１、ＳＰ２、ＳＰ３、ＳＰ４の発光領域ＥＡ１１、ＥＡ２１、ＥＡ１、ＥＡ４３と対応する領域に、第１ないし第３の光漏れ防止層１１０、１１１、１１２、２１０が配置される。このとき、第１のサブピクセルから第３のサブピクセルＳＰ１、ＳＰ２、ＳＰ３のそれぞれに配置される第１ないし第３の光漏れ防止層１１０、１１１、１１２は、それぞれ赤色（Ｒ）、緑色（Ｇ）、青色（Ｂ）の光のいずれかの色の光を透過させることができる。また、第４のサブピクセルＳＰ４に配置される第４の光漏れ防止層２１０は、光を反射させることができる。
【０１２１】
一方、第４のサブピクセルＳＰ４に配置される第４の光漏れ防止層２１０は、少なくとも２層以上からなることができる。具体的には、第４のサブピクセルＳＰ３に配置される第４の光漏れ防止層２１０は、絶縁層２００上に配置される第１の金属層２１１と第１の金属層２１１上に配置される第２の金属層２１２を含む。ここで、絶縁層２００は、酸化シリコン（ＳｉＯ２）、窒化シリコン（ＳｉＮｘ）などの無機絶縁層であってもよいが、本実施形態がこれに局限されるものではない。
【０１２２】
上述したように、第４のサブピクセルＳＰ４に、少なくとも２層以上の金属層からなる第４の光漏れ防止層２１０が配置されることにより、第４のサブピクセルＳＰ４を除いた残りのサブピクセルで発生する光漏れ成分が第１の金属層２１１または第２の金属層２１２によって反射され、基板１００の方向に経路が切り換えられ、基板１００の下部に配置された偏光板（図示しない）に到達することができる。
【０１２３】
ここで、第１の金属層２１１または第２の金属層２１２によって反射され、経路が切り換えられた光漏れ成分の光軸は、偏光板（図示しない）の光軸とは異に切り換えられ、基板１００の外部に取り出されず、表示装置内に閉じ込められる。すなわち、第１の金属層２１１または第２の金属層２１２によって経路が切り換えられた光漏れ成分を表示装置内に閉じ込めておくことにより、視聴者に光漏れが視認されないことがある。
【０１２４】
言い換えれば、第４のサブピクセルＳＰ４に第４の光漏れ防止層２１０が配置されていない場合、異なるサブピクセルで発生した光漏れ成分が基板１００と偏光板（図示しない）の境界で、経路が切り換えられ、第４のサブピクセルＳＰ４のマイクロレンズに光が到達することができる。このとき、マイクロレンズに到達した光は、マイクロレンズによって取り出され、基板１００外に出射されて光漏れ現象を引き起こし得る。すなわち、マイクロレンズに到達した光の光軸は、マイクロレンズによって偏光板（図示しない）の光軸と同じであってもよく、これにより、基板１００外に取り出され、視聴者に光漏れが視認されることができる。
【０１２５】
また、基板１００の外部から入射される外光８５０が第４のサブピクセルＳＰ４に入射される場合、外光８５０が第１の金属層２１１または第２の金属層２１２によって反射され、外光８５０の経路が第１の基板１００の方向に再び切り換えられることができる。一方、外光８５０が第１金属層２１１または第２の金属層２１２によって反射される過程で、外光８５０の光軸が変わるようになるため、基板１００背面に配置された偏光板（図示しない）を通過しないようになる。したがって、外光８５０が表示装置の外部に漏れないように、外光８５０反射率を低くすることができる効果がある。
【０１２６】
第１の金属層２１１は、負の値の誘電率（ｐｅｒｍｉｔｔｉｖｉｔｙ）を有する物質からなることができる。また、第１の金属層２１１の誘電率の絶対値は、絶縁層２００の誘電率の絶対値よりも大きくてもよい。
【０１２７】
第１の金属層２１１は、負の値の誘電率を有し、かつ誘電率の絶対値が絶縁層２００の誘電率の絶対値よりも大きいアルカリ土類金属からなることができるが、本実施形態による第１の金属層２１１の物質がこれに局限されるものではない。例えば、第１の金属層２１１は、負の値の誘電率を有するベリリウム（Ｂｅ）、カルシウム（Ｃａ）、バリウム（Ｂａ）、ストロンチウム（Ｓｒ）、ラジウム（Ｒａ）、リチウム（Ｌｉ）、ナトリウム（Ｎａ）またはマグネシウム（Ｍｇ）のうちの少なくともいずれか一つからなることができる。
【０１２８】
第１の金属層２１１上には金属物質からなる第２の金属層２１２が配置される。このとき、第２の金属層２１２は、銀（Ａｇ）、アルミニウム（Ａｌ）または金（Ａｕ）の少なくともいずれか一つからなることができる。
【０１２９】
一方、絶縁層と誘電率が高い金属層の境界に光が入射される場合、金属層によって入射された光が吸収されることにより、また、非発光プラズモンモードによりほとんどの光が失われることにより、透過率が低下することがある。ここで、非発光プラズモンモードとは、反射板の役割をする金属層の表面から金属の表面電子の振動と有機発光素子から発光光の波長の干渉による損失と金属層が有する吸収が含まれて現れるモードである。すなわち、絶縁層と反射板の役割をする金属層が接するように配置される場合、絶縁層と金属層の界面で光が失われて透過率が低くなる現象が発生する。
【０１３０】
これに対し、第４のサブピクセルＳＰ４においては絶縁層２００と第２の金属層２１２との間に負の値の誘電率を有し、誘電率の絶対値が絶縁層２００の誘電率の絶対値より大きい第１の金属層２１１が配置されることにより、損失する光量を減らし、第４のサブピクセルＳＰ４の透過率を向上させることができる。したがって、有機発光素子ＥＬから発光された光が、第１の金属層２１１と第２の金属層２１２から構成される第４の光漏れ防止層２１０を透過して基板１００の外部に取り出され得る。
【０１３１】
具体的には、第１の金属層２１１が負の誘電率を有することによって、第１の金属層２１１の屈折率は、負の値を有することができる。より具体的には、屈折率は誘電率（ｐｅｒｍｉｔｔｉｖｉｔｙ）と透磁率（ｐｅｒｍｅａｂｉｌｉｔｙ）の積の平方根で表すことができるが、第１の金属層２１１の誘電率が負の値なので、第１の金属層２１１の屈折率もやはり音の値であってもよい。
【０１３２】
一方、負の屈折率を有する物質は、入射される光を反射させたり吸収せず、光を透過させる。また、第１の金属層２１１と第２の金属層２１２の厚みを非常に薄くすることができる。例えば、第１の金属層２１１と第２の金属層２１２の厚みは、１ｎｍないし３０ｎｍの厚みからなることができる。このように、第１の金属層２１１と第２の金属層２１２の厚みが薄くなることによって、第４の光漏れ防止層２１０の透過率を向上させることができる。
【０１３３】
有機発光素子ＥＬから発光された光がオーバーコート層３２０を経て、第４の光漏れ防止層２１０の第２の金属層２１２に到達する場合、一部の光は、第２の金属層２１２によって反射されるが、残りの一部の光は、第２の金属層２１２を透過して、第１の金属層２１１に到達する。また、第１の金属層２１１は、上述したように、光を反射させたり吸収せず、光が第１の金属層２１１を透過して、第１の基板１００の外部に取り出すことができる。
【０１３４】
すなわち、第４のサブピクセルＳＰ４に基板１００上に配置される絶縁層２００、絶縁層２００上に配置される第１の金属層２１１および第２の金属層２１２を通じて、光漏れ成分および反射率を低減し、有機発光素子ＥＬから発光される光透過率を向上させることができる効果がある。
【０１３５】
一方、第４のサブピクセルＳＰ４に配置される絶縁層２００および第４の光漏れ防止層２１０の配置構造は、上述した構造に限定されない。
【０１３６】
図１６を参照して、もう一つの実施形態による第４のサブピクセルの絶縁層および第４の光漏れ防止層の配置構造を検討すると、次の通りである。図１６は、もう一つの実施形態による第４のサブピクセルの絶縁層および第４の光漏れ防止層の配置構造を示す図である。
【０１３７】
図１６を参照すると、もう一つの実施形態による表示装置は、第１ないし第３のサブピクセルＳＰ１、ＳＰ２、ＳＰ３には、基板１００上に絶縁層３００層が配置され、絶縁層３００上に第１ないし第３の光漏れ防止層１１０、１１１、１１２が配置される。
【０１３８】
第１ないし第３のサブピクセルＳＰ１、ＳＰ２、ＳＰ３のそれぞれに配置される第１ないし第３の光漏れ防止層１１０、１１１、１１２上にマイクロレンズを備えるオーバーコート層４２０が配置される。また、オーバーコート層４２０上には第１の電極４３０、有機発光層４４０および第２の電極４５０を具備する有機発光素子ＥＬが配置される。
【０１３９】
また、第４のサブピクセルＳＰ４には、基板１００上に第４の光漏れ防止層３１０が配置される。このとき、第４の光漏れ防止層３１０は、第３の金属層３１１および第４の金属層３１２を含む。第４の金属層３１２上には第１ないし第３のサブピクセルＳＰ１、ＳＰ２、ＳＰ３に配置された絶縁層３００と一体になる絶縁層３００が配置される。すなわち、第４のサブピクセルＳＰ４に配置される絶縁層３００を形成するのに工程を追加せずに、第１ないし第３のサブピクセルＳＰ１、ＳＰ２、ＳＰ３に絶縁層３００を形成する工程で同時に形成することができる。
【０１４０】
第４のサブピクセルＳＰ４の絶縁層３００上にはマイクロレンズが備えられたオーバーコート層４２０が配置され、オーバーコート層４２０上には第１の電極４３０、有機発光層４４０および第２の電極４５０を具備する有機発光素子ＥＬが配置される。ここで、第１ないし第４のサブピクセルＳＰ１、ＳＰ２、ＳＰ３、ＳＰ４に配置された第１の電極４３０、有機発光層４４０および第２の電極４５０は、オーバーコート層４２０に備えられたマイクロレンズの形態学（ｍｏｒｐｈｏｌｏｇｙ）に従う形状であってもよい。
【０１４１】
一方、第４のサブピクセルＳＰ４に配置される第３の金属層３１１および第４の金属層３１２は、それぞれ、少なくとも１層以上からなることができる。また、第３の金属層３１１は、金属物質からなることができる。例えば、第３の金属層３１１は、銀（Ａｇ）、アルミニウム（Ａｌ）または金（Ａｕ）のうちの少なくともいずれか一つからなることができる。
【０１４２】
また、第４の金属層３１２は、負の値の誘電率を有するとともに誘電率の絶対値が絶縁層３００の誘電率の絶対値より大きいアルカリ土類金属からなることができるが、本実施形態による第４の金属層３１２の物質がこれに局限されるものではない。例えば、第４の金属層３１２は、負の値の誘電率を有するベリリウム（Ｂｅ）、カルシウム（Ｃａ）、バリウム（Ｂａ）、ストロンチウム（Ｓｒ）、ラジウム（Ｒａ）、リチウム（Ｌｉ）、ナトリウム（Ｎａ）またはマグネシウム（Ｍｇ）のうちの少なくともいずれか一つからなることができる。
【０１４３】
また、第３０の金属層３１１と第４の金属層３１２の厚みを非常に薄くすることができる。例えば、第３の金属層３１１と第４の金属層３１２の厚みは、１ｎｍないし３０ｎｍの厚みからなることができる。このように、第３の金属層３１１と第４の金属層３１２の厚みが薄くなることにより、第４の光漏れ防止層３１０の透過率を向上させることができる。
【０１４４】
上述したように、第４のサブピクセルＳＰ４において基板１００上に配置される第３の金属層３１１、第３の金属層３１１上に配置される第４の金属層３１２および第４の金属層３１２上に配置される絶縁層３００を介して、光漏れ成分および反射率を低減し、有機発光素子ＥＬから発光される光透過率を向上させることができる効果がある。
【０１４５】
すなわち、本実施形態による有機発光表示装置は、少なくとも１個のサブピクセルに配置される光漏れ防止層が少なくとも２層の金属層からなり、負の値の誘電率を有するとともに誘電率の絶対値が絶縁層の絶対値よりも大きい物質からなる金属層が絶縁層と反射率の高い金属層との間に配置される構成であれば十分である。
【０１４６】
次に、本実施形態および比較例による有機発光表示装置の反射率低減の効果を検討すると、次の通りである。図１７は、本実施形態および比較例による有機発光表示装置の反射率低減の効果を示すグラフである。
【０１４７】
図１７を参照して、有機発光表示装置に光漏れ防止層に反射率の高い金属層のみが配置される場合（比較例）と負の値の誘電率を有するとともに誘電率の絶対値が光漏れ防止層と接して配置される絶縁層の誘電率の絶対値よりも大きい金属層および反射率が大きい金属層が積層された光漏れ防止層（実施形態）が、有機発光表示装置に適用されたときの反射率を比較すると、次の通りである。
【０１４８】
図１７のｘ軸は、外光が有機発光表示装置に入射される角度を意味し、ｙ軸は、有機発光表示装置の反射率を意味する。一方、図１７で、反射率の高い金属層は、銀（Ａｇ）を用い、負の値の誘電率を有するとともに誘電率の絶対値が光漏れ防止層と接して配置される絶縁層の誘電率の絶対値よりも大きい金属層は、カルシウム（Ｃａ）を使用した。
【０１４９】
マイクロレンズが適用された有機発光表示装置の場合、外光が高い角度で入射されたとき（例えば、４０度以上の角度）、マイクロレンズにより、外光が拡散し、視聴者に視認される問題がある。したがって、上述した実施形態のように、有機発光表示装置に入射される外光の光軸を光漏れ防止層などを利用して変更することにより、表示装置の外部に漏れることを防止する必要がある。
【０１５０】
しかし、図１７に示すように、有機発光表示装置に高角度（４０度以上の角度）で外光が入射される場合、銀（Ａｇ）だけからなる光漏れ防止層が５ｎｍと１０ｎｍが適用された比較例に係る有機発光表示装置は、外光を５％ないし３０％程度だけ反射させることがわかる。すなわち、表示装置に入射された外光の光軸が偏光板の光軸と異なる比率が５％ないし３０％に過ぎないことがわかる。
【０１５１】
これに対し、カルシウム（Ｃａ）と銀（Ａｇ）がそれぞれ５ｎｍないし１０ ｎｍが積層された光漏れ防止層を備えた有機発光表示装置は、高角度で入射された外光を５０％ないし８０％反射させることを知ることができる。すなわち、表示装置に入射された外光の光軸が偏光板の光軸と異なる比率が５０％ないし８０％であることを知ることができる。
【０１５２】
このように、実施形態による有機発光表示装置において、光漏れ防止層を介して反射される外光の量が比較例に係る有機発光表示装置において光漏れ防止層を介して反射される外光の量よりも多いことを知ることができる。すなわち、実施形態による有機発光表示装置に適用された光漏れ防止層を介して反射される外光の量が多いことにより、外光の光軸が偏光板の光軸と異ならして表示装置の外部に漏れる光量が減るため、外光反射率を下げることができる効果がある。
【０１５３】
上述したように、本発明の実施形態による有機発光表示装置は、複数のサブピクセルのうちの少なくとも１個のサブピクセルにおいて発光領域と対応する領域に配置される光漏れ防止層を含むことにより、互いに異なるサブピクセル間、または異なる画素間で発生する光漏れ現象を抑制し、かつ有機発光素子から発光される光の効率が劣るのを防止することができる効果がある。
【０１５４】
また、本発明の実施形態による有機発光表示装置は、複数のサブピクセルから構成される画素において、互いに異なるマイクロレンズを含むサブピクセルを備えたり、マイクロレンズ未配置のサブピクセルを備えすることにより、サブピクセル毎に光取り出し効率を調節することができ、光漏れ現象を防止することができる。
【０１５５】
上述した実施形態で説明した特徴、構造、効果などは、本発明の少なくとも一つの実施形態に含まれ、必ずしも一つの実施形態のみに限定されるものではない。さらに、各実施形態にて例示された特徴、構造、効果などは、実施形態が属する分野の通常の知識を有する者によってもう一つの実施形態にも組み合わせまたは変形されて実施可能である。したがって、これらの組み合わせと変形に係る内容は、本発明の範囲に含まれるものと解釈されるべきである。
【０１５６】
また、以上で実施形態を中心に説明したが、これは単なる例示に過ぎず、本発明を限定するものではなく、本発明が属する分野の通常の知識を有する者であれば、本実施形態の本質的な特性を逸脱しない範囲で今までに例示していないいくつかの変形と応用が可能であることを知ることができるだろう。例えば、実施形態に具体的に示された各構成要素は、変形して実施することができるものである。
【符号の説明】
【０１５７】
１１０：第１の光漏れ防止層
１１１：第２の光漏れ防止層
１１２：第３の光漏れ防止層
１１３：第４の光漏れ防止層
１２０：オーバーコート層
２０１：第１の凹部
２０２：第１の接続部
【図１】
2018037391.tif 000003
【図２】
2018037391.tif 000004
【図３】
2018037391.tif 000005
【図４】
2018037391.tif 000006
【図５】
2018037391.tif 000007
【図６】
2018037391.tif 000008
【図７】
2018037391.tif 000009
【図８】
2018037391.tif 000010
【図９】
2018037391.tif 000011
【図１０】
2018037391.tif 000012
【図１１】
2018037391.tif 000013
【図１２】
2018037391.tif 000014
【図１３】
2018037391.tif 000015
【図１４】
2018037391.tif 000016
【図１５】
2018037391.tif 000017
【図１６】
2018037391.tif 000018
【図１７】
2018037391.tif 000019